(57)【要約】【課題】表示部に表示される条件情報のマークがどのような経過によって設定され表示されているのかを区別し得るような表示形態で表示する制御をおこなう表示制御方法及びこれによって制御される表示制御装置とこれを備えたカメラを提供する。【解決手段】撮影条件を設定する設定部によって設定される撮影条件に関する条件情報を表示部に表示するための制御をおこなう表示制御装置において、表示部１８に表示される条件情報が、設定部によって直接設定された撮影条件に関する第１の条件情報であるか、設定部の設定に連動して間接的に設定された撮影条件に関する第２の条件情報であるかのいずれであるかを区別して表示する制御をおこなう。【選択図】図２
2006319917.tif 000002
【特許請求の範囲】
【請求項１】
撮影条件を設定する設定部によって設定される撮影条件に関する条件情報を表示部に表示するための制御をおこなう表示制御装置において、
上記表示部に表示される条件情報が、上記設定部によって直接設定された撮影条件に関する第１の条件情報であるか、設定部の設定に連動して間接的に設定された撮影条件に関する第２の条件情報であるか、のいずれであるかを区別して表示する制御をおこなうことを特徴とする表示制御装置。
【請求項２】
上記表示制御装置は、上記第１の条件情報の表示色とは異なる表示色で上記第２の条件情報を表示することで、両者を区別して表示することを特徴とする表示制御装置。
【請求項３】
上記表示制御装置は、包括的な撮影条件設定を指示するシーンモード設定のうちのいずれかが上記設定部によって設定された場合には、そのとき設定されたシーンモード設定に連動して間接的に設定される撮影条件に関する条件情報を第２の条件情報として表示することを特徴とする請求項１に記載の表示制御装置。
【請求項４】
撮影条件を設定する設定部によって設定される撮影条件に関する条件情報を表示部に表示するための表示制御方法において、
上記表示部に表示される条件情報が、上記設定部によって直接設定された撮影条件に関する第１の条件情報であるか、設定部の設定に連動して間接的に設定された撮影条件に関する第２の条件情報であるか、のいずれであるかを区別して表示する制御をおこなうことを特徴とする表示制御方法。
【請求項５】
撮影条件を設定する設定部によって設定される撮影条件に関する条件情報を表示部に表示するための表示制御方法をコンピュータに実行させるプログラムにおいて、
上記表示部に表示される条件情報が、上記設定部によって直接設定された撮影条件に関する第１の条件情報であるか、設定部の設定に連動して間接的に設定された撮影条件に関する第２の条件情報であるか、のいずれであるかを区別して表示する制御をおこなうことを特徴とするプログラム。
【請求項６】
撮影条件を設定する設定部によって設定される撮影条件に関する条件情報を表示部に表示するための表示制御方法をコンピュータに実行させるプログラムを記録した記録媒体において、
上記表示部に表示される条件情報が、上記設定部によって直接設定された撮影条件に関する第１の条件情報であるか、設定部の設定に連動して間接的に設定された撮影条件に関する第２の条件情報であるか、のいずれであるかを区別して表示する制御をおこなうことを特徴とするプログラムを記録した記録媒体。
【請求項７】
撮影条件を設定する設定部と、
上記設定部によって設定される撮影条件に関する条件情報を表示する表示部と、
上記表示部に表示される条件情報が、上記設定部によって直接設定された撮影条件に関する第１の条件情報であるか、設定部の設定に連動して間接的に設定された撮影条件に関する第２の条件情報であるか、のいずれであるかを区別して表示する制御をおこなう表示制御部と、
を具備して構成されることを特徴とするカメラ。
【発明の詳細な説明】
【技術分野】
【０００１】
この発明は、表示制御装置及びその表示制御方法とこの表示制御装置を備えたカメラ、詳しくは設定された撮影条件に関する条件情報を表示部に表示するための表示制御方法と、この表示制御方法により制御される表示制御装置と、この表示制御装置を備えたカメラに関するものである。
【背景技術】
【０００２】
従来より、カメラ等の電子機器においては、これを使用する際に、所望の動作がおこなわれるようにするために、予め各種の動作条件の設定をおこなうようになっているのが普通である。そして、使用者が設定した各種の動作条件の設定状態は、例えば表示制御装置の表示部に設定されている動作条件に関する条件情報を表示させることで、容易に確認することができるようになっている。
【０００３】
例えば、カメラにおいては、撮影を開始するのに際して、各種の撮影条件を任意に設定することができるように構成されている。そして、設定された各種の撮影条件については、表示制御装置の表示部にマークや文字等の条件情報として表示させることで、使用者が確認することができるようになっている。
【０００４】
この場合において、表示部に表示されるマーク等の条件情報は、各撮影条件の設定項目ごとに個々に対応する固有のマーク等が用いられる。これら各マーク等は、例えば表示制御装置の表示部がファインダーとして機能するようなカメラでは、同表示部の画面上において、被写体画像に重畳した形態で表示されることになる。
【０００５】
また、被写体画像等を表示するための表示制御装置とは別に、各種の設定情報を表示するための専用の表示制御装置が設けられる場合もある。この場合には、その専用の表示制御装置の表示部に、各種の撮影条件に関する条件情報に対応する各種のマークが表示されるようになっている。
【０００６】
ここで、カメラにおいて設定し得る撮影条件としては、例えば閃光発光装置の動作モード等があり、その設定項目として自動発光モード，フル発光モード，赤目軽減発光モード，発光禁止モード等、複数の発光モード項目を選択し得るようになっている。このカメラの使用者は、撮影動作を実行するのに先立って、これら複数の発光モード項目のうちのいずれかを撮影条件として任意に設定することができる。そして、所望の発光モード項目（撮影条件）が選択設定されると、その発光モード項目に対応するマーク等の条件情報が表示部に表示されることになる。これにより、そのカメラの使用者は、表示部の表示を視認することで、当該カメラにおいて設定し得る複数の発光モード項目（撮影条件）のうちのいずれの項目が設定されているかを、表示部に表示される条件情報によって確認することができるようになっている。
【０００７】
ところで、カメラを用いて撮影動作をおこなうのに際しては、撮影しようとする被写体や周囲の状況に応じて、各種の撮影条件の設定を各個別に設定する必要がある。このような行為は、例えばカメラに不慣れな者やカメラについての充分な知識を持たない者、いわゆる初心者等にとっては容易におこなうことができないものである。したがって、このような初心者であっても、撮影条件等（例えばシャッター速度や絞り値，ホワイトバランス，閃光発光の有無等）についての各種の設定をより簡単におこなうことができるような種々の工夫が従来より提案され、また実用化されている。例えば特開２００２−２４７４１８号公報や特開２００４−１５３５３７号公報等においては、いわゆるシーンモード設定方式についての提案がなされている。
【０００８】
シーンモード設定方式とは、さまざまな撮影状況（撮影シーン）、例えばマクロ撮影，パーティーショット，ポートレート撮影，風景撮影，夜景撮影，スポーツ撮影，記念撮影，夜景＆人物撮影，打ち上げ花火撮影，夕陽撮影，ハイキー撮影，ドキュメント撮影，マナーショット撮影，キャンドル撮影，ビーチ＆スノー撮影等等のごとく、さまざまな撮影状況に対応するための各種の撮影条件の設定の組み合わせを予めメモリー等に記憶しておき、各種の撮影シーン（撮影状況）を表わす複数のマークから所望のマークを所定の操作部材を用いて選択操作することで、選択した撮影状況において撮影を実行するのに最適な複数の撮影条件が包括的にかつ自動的に設定されるようにした機能である。
【０００９】
このシーンモード設定方式の撮影条件設定を用いれば、撮影を所望するシーンを選択する操作をおこなうのみで適切な各種の撮影条件が自動的に設定されるので、カメラに関する用語等に不慣れな初心者等でも、所望の撮影シーンに最適な各種の撮影条件設定を容易におこなうことができるという利点がある。
【００１０】
また、このようにして包括的に設定された各種の撮影条件の設定状態については、表示制御装置の表示部に表示される条件情報によって確認することができるようになっている。
【特許文献１】特開２００２−２４７４１８号公報
【特許文献２】特開２００４−１５３５３７号公報
【発明の開示】
【発明が解決しようとする課題】
【００１１】
ところが、従来のカメラにおいては、現在設定されている各種の撮影条件に関する条件情報を表示制御装置の表示部によって表示する際には、使用者が所定の操作部材を用いて所望の撮影条件を直接的に設定した場合の表示と、上述のようなシーンモード設定方式にて撮影シーン選択操作による自動設定機能によって撮影条件が間接的に設定された場合の表示とでは、いずれの場合にも結果としては全く同一の表示がなされるようになっているのが普通である。
【００１２】
この場合において、例えば間接的に設定された所定の撮影条件に関する条件情報の表示を確認したとき、使用者は、その条件情報を自分で直接設定していない撮影条件の条件情報であることに気付いて、自分が操作ミスをした結果、そのような設定表示がなされているのだと勘違いしたり、カメラが故障したのだと勘違いする等、さまざまな疑問を抱かせてしまい、よって、使用者を混乱させてしまう場合が考えられる。
【００１３】
具体的には、例えば図１３〜図１６は、従来のカメラの表示制御装置の表示部を示す図であって、各所定の場合において、そのとき設定されている各種の撮影条件に関する条件情報が表示部に表示されている状態を示している。
【００１４】
まず、図１３は、当該カメラが通常の設定状態（例えば起動直後の設定状態）になっている場合の表示部の表示を示している。この状態では、表示部１１８には、画面全体に被写体画像が表示され、この被写体画像に重畳した形態で、各種の撮影条件に関する条件情報をあらわす各種のマークが表示されている。なお、このような表示を撮影待機画面というものとする。
【００１５】
図１３に示すように、撮影待機画面では、例えば撮影モードを表わすマーク１１８ａ，取得される画像データの解像度（画像サイズ）を表わすマーク１１８ｂ，電池残量を表わすマーク１１８ｄ，測光結果により得られたシャッター速度を表わすマーク１１８ｅ，測光結果により得られた絞り値を表わすマーク１１８ｆ，露出補正値を表わすマーク１１８ｇ，測距範囲を示すマーク１１８ｈ等が表示されている。
【００１６】
なお、図１３の状態では、撮影モード１１８ａは「Ｐ；プログラムオートモード」が選択され、画像解像度１１８ｂは「２５６０＊１９２０」（画素×画素）が選択されている旨が表示されている。
【００１７】
この状態にあるときに、使用者がカメラの所定の操作部材を操作してメニュー画面を表示制御装置の表示部に表示させ、所定の撮影情報の設定項目に変更を加え、その後、メニュー画面を閉じる等の一連の操作をおこなうと、その変更した撮影情報の設定内容を反映した条件情報表示画面が表示部に表示される。
【００１８】
例えば、図１３の表示状態にあるときに、使用者によって閃光発光装置の動作モードの設定項目を「発光禁止モード」となるように所定の操作部材を用いて直接的に変更したとする。このとき、表示部の所定の領域には、図１４に示すように閃光発光装置の動作モードを表わすマーク１１８ｃが表示される。なお、図１４に示すマーク１１８ｃは「発光禁止モード」を表わすマークである。
【００１９】
一方、図１３に示す状態において、使用者が所定の撮影シーン選択操作をおこなって、例えば「寝顔シーン」のシーン設定が選択されたものとする。この場合には、図１５に示すように撮影モード１１８ａの表示が「寝顔モード」を表わすマークに変更される。この「寝顔モード」においては、閃光発光装置の動作モードが「発光禁止モード」となるように自動的に設定される。したがって、撮影モード１１８ａが「寝顔モード」に変更されると、これに連動して閃光発光装置の動作モード１１８ｃが図１５に示すように「発光禁止モード」を表わすマークとして同時に表示される。
【００２０】
このように、使用者によって閃光発光装置の動作モードが「発光禁止モード」となるように直接的に変更された場合の表示と、使用者によって撮影シーンモードの設定が「寝顔モード」等に変更された結果、これに連動して閃光発光装置の動作モード１１８ｃの表示が「発光禁止モード」に自動的に（つまり間接的に）変更された場合とでは、いずれの場合にも、表示部に表示される条件情報のマーク、即ち閃光発光装置の動作モード１１８ｃのマークは同一となっている。
【００２１】
他方、図１３に示す状態において、使用者が所定の撮影シーン選択操作をおこなって、例えば「パーティーモード」の設定が選択された場合には、図１６に示すように撮影モード１１８ａの表示が「パーティーモード」を表わすマークに変更される。この「パーティーモード」においては、画像解像度１１８ｂの表示が「１２８０＊９６０」（画素×画素）となるように自動的に設定される。したがって、撮影モード１１８ａが「パーティーモード」に変更されると、これに連動して画像解像度１１８ｂの表示は、図１６に示すように「１２８０＊９６０」（画素×画素）が設定されている旨を表わす表示に変更される。
【００２２】
この場合にも、使用者によって画像解像度の設定が直接的に変更された場合の表示（図示及び説明は省略）と、使用者によって撮影シーン選択操作がなされた結果、画像解像度の設定が自動的に（つまり間接的に）変更されて、その旨のマーク１１８ｂが表示される場合とでは、いずれの場合にも、表示部に表示される条件情報の表示形態が同一となっている。
【００２３】
以上のように、撮影待機画面が表示部に表示されている状態では、例えば被写体画像に重畳した形態で、特定の意味を有するマークや記号や数値や言語等が多数表示されるため、各マーク等の表示が、どのような経緯で表示されているのかの区別がつかない。このことから、使用者は、どうしてその条件情報が設定されているのか、または如何にして撮影条件が変更されてしまったのかが理解できずに、混乱してしまうということにもなりかねない。
【００２４】
本発明は、上述した点に鑑みてなされたものであって、その目的とするところは、表示制御装置の表示部に表示された撮影条件を表わす条件情報のマーク等が、どのような経過によって設定され表示されているのかを、区別し得るような表示形態で表示する制御をおこなう表示制御方法と、この表示制御方法によって制御される表示制御装置と、この表示制御装置を備えたカメラを提供することである。
【課題を解決するための手段】
【００２５】
上記目的を達成するために、本発明による表示制御装置は、撮影条件を設定する設定部によって設定される撮影条件に関する条件情報を表示部に表示するための制御をおこなう表示制御装置において、上記表示部に表示される条件情報が、上記設定部によって直接設定された撮影条件に関する第１の条件情報であるか、設定部の設定に連動して間接的に設定された撮影条件に関する第２の条件情報であるか、のいずれであるかを区別して表示する制御をおこなうことを特徴とする。
【発明の効果】
【００２６】
本発明によれば、表示制御装置の表示部に表示された撮影条件を表わす条件情報のマーク等が、どのような経過によって設定され表示されているのかを、区別し得るような表示形態で表示する制御をおこなう表示制御方法と、この表示制御方法によって制御される表示制御装置と、この表示制御装置を備えたカメラを提供することができる。
【発明を実施するための最良の形態】
【００２７】
以下、図示の実施の形態によって本発明を説明する。  
図１は、本発明の一実施形態の表示制御装置を備えたカメラの概略的な内部構成を示す要部ブロック構成図である。本例では、表示制御装置は、主にＣＰＵによって実現される。図２は、図１の表示制御装置を備えたカメラの作用のうち撮影待機画面における表示制御方法であって、撮影条件に関する条件情報を表示部に表示する際の処理シーケンスを示すフローチャートである。図３〜図６は、図１のカメラ（表示制御装置）の表示部の表示画面を示す図であって、各所定の場合において、そのとき設定されている各種の撮影条件に関する条件情報が表示部に表示されている状態を示している。図７〜図１２は、各所定の撮影条件に関する条件情報を表わす固有のマークの各種の形態例を示す図である。
【００２８】
図１に示すように、本実施形態の表示制御装置を備えたカメラ１の内部構成は、次のようになっている。即ち、本カメラ１は、光学レンズ等によって構成される撮影光学系２１と、この撮影光学系２１によって形成される光学的な被写体像を受けて電子的な画像データを生成する処理である光電変換をおこなうＣＣＤ等の撮像素子２２と、この撮像素子２２によって生成された画像データを受けて所定の信号処理を行ないデジタル画像信号を出力する撮像部２３と、この撮像部２３から出力されるデジタル画像信号を受けて所定の画像信号処理をおこなう画像処理部２４と、この画像処理部２４からの出力を受けて画像データを記憶する画像メモリ２５と、画像処理部２４からの出力を受けて表示用の画像信号を生成する表示処理部２６と、この表示処理部２６からの出力を受けて画像を表示したり本カメラ１の各種の設定画面（メニュー画面等）等や設定されている撮影条件に関する条件情報を表示する表示部１８と、本カメラ１に設けられる各種の操作部材である操作部２７と、この操作部２７からの指示信号を受けて撮影条件を設定すると共に本カメラ１の動作を全体的に制御する制御部であるＣＰＵ２０と、各種のプログラム及び各種の撮影条件に関する条件情報を表わすマーク等の画像データ等が予め格納されているロム（ＲＯＭ）２８と、閃光発光装置であるストロボ部２９等によって主に構成されている。
【００２９】
操作部２７からの指示信号を受けて撮影条件を設定する設定部と、表示部１８に表示される撮影条件の表示を制御する表示制御装置がＣＰＵ２０によって実現される。
【００３０】
なお、ＣＰＵ２０，撮像素子２２，撮像部２３，画像処理部２４，画像メモリ２５，表示処理部２６，表示部１８等の各構成部材間は信号線２０ａによって電気的に接続されている。
【００３１】
上記操作部２７としては、例えばシャッターレリースボタンやズームレバーや電源オンオフボタンや静止画撮影モード切換ボタンや動画撮影モード切換ボタンや再生ボタンやメニュー表示ボタンや閃光モード設定ボタンや画像消去ボタンや各操作部を操作した際の選択操作結果を決定する決定ボタン等がある。
【００３２】
表示処理部２６は、ロム（ＲＯＭ）２８に格納されている複数の画像データ、即ち各種の撮影条件に関する条件情報を示す複数の画像データであってマークや記号や数値や言語等による形態の複数の画像データからＣＰＵ２０によって読み出された所定のデータを表示部１８の表示画面上の所定の部位に、被写体画像に重畳した形態で表示するための表示処理をおこなう。さらに、表示処理部２６は、必要に応じて表示部１８を用いて表示するのに最適な形態の画像データを生成する画像処理をおこなう。
【００３３】
このように構成される本実施形態の表示制御装置に接続される表示部１８において、設定されている撮影条件に関する条件情報が表示される際の作用を、図２の撮影条件表示処理のフローチャートによって、以下に説明する。
【００３４】
まず、使用者は、撮影動作を開始するのに際して、カメラ１の操作部２７（図１参照）の電源オンオフボタン（図示せず）を操作して、当該カメラ１の電源をオン状態とする。これにより、ＣＰＵ２０（図１参照）は、内部回路の初期化動作等、所定の制御動作を実行する。こうしてカメラ１は起動し撮影待機状態となる。このとき、表示部１８には、例えば図３に示すような撮影待機画面が表示される。
【００３５】
図３は、本実施形態の表示制御装置の表示部において、起動時に表示される撮影待機画面を示す図である。この状態において、表示部１８には、画面全体に被写体画像が表示されており、この被写体画像に重畳した形態で、各種の撮影条件に関する条件情報を表わす各種のマークが表示されている。
【００３６】
図３に示す撮影待機画面の例では、例えば撮影モードを表わすマーク１８ａ，取得される画像データの解像度（画像サイズ）を表わすマーク１８ｂ，電池残量を表わすマーク１８ｄ，測光結果により得られたシャッター速度を表わすマーク１８ｅ，測光結果により得られた絞り値を表わすマーク１８ｆ，露出補正値を表わすマーク１８ｇ，測距範囲を示すマーク１８ｈ等が表示されている。
【００３７】
なお、図３の状態では、撮影モードを表わすマーク１８ａは「Ｐ；プログラムオートモード」が選択され、画像解像度１８ｂは「２５６０＊１９２０」（画素×画素）が選択されている旨が表示されている。
【００３８】
この状態にあるときに、図２のステップＳ１の処理、即ち所望の条件の入力処理が使用者によって実行されると、次のステップＳ２の処理に進む。具体的には、使用者は、カメラ１の所定の操作部２７のうちのメニュー表示ボタン（図示せず）を操作する。これを受けて表示部１８には所定のメニュー画面が表示される。ここで、使用者は、所望する撮影条件に関する条件情報についての変更操作を実行する。そして、使用者は、その後、再度メニュー表示ボタンを操作する等によってメニュー画面を閉じる操作をおこなう。
【００３９】
ステップＳ２において、カメラ１のＣＰＵ２０は、上述のステップＳ１によってなされた操作に基づく指示信号、即ち操作部２７からの指示信号を受けて入力指示された撮影条件に関する条件情報に応じた設定項目の設定変更処理、即ち撮影条件設定処理を実行する。そして、次のステップＳ３の処理に進む。
【００４０】
ステップＳ３において、ＣＰＵ２０は、上述のステップＳ２の撮影条件設定処理において、その設定変更の指示が使用者の直接指示による指示入力であるか否かの判断をおこなう。ここでおこなわれる判断は、例えば上述のステップＳ１において実行された操作部２７の入力指示がいずれの操作部材からのものであるか否かのを判断する等によってなされる。このステップＳ３において、上述のステップＳ１における入力指示が直接指示であると判断された場合には、ステップＳ４の処理に進む。また、上述のステップＳ１における入力指示が間接指示であると判断された場合には、ステップＳ５の処理に進む。
【００４１】
上述のステップＳ３の処理において直接指示であると判断された場合、即ち操作部２７及び設定部により直接設定される撮影条件に関する条件情報である場合（この条件情報を第１の条件情報という）には、ステップＳ４において、ＣＰＵ２０は、第１の表示処理をおこなう。これにより、上述のステップＳ２の処理において変更した設定内容が反映された撮影待機画面が表示部１８に表示される。そして、この一連の処理を終了する（リターン）。
【００４２】
この第１の表示処理は、使用者が所定の操作部材を用いて所望の撮影条件を直接的に設定指示したことによって変更された設定項目の表示処理である。この場合には、図４に示すような撮影待機画面が表示部１８に表示される。
【００４３】
例えば、上述のステップＳ１の処理において、使用者が閃光発光装置の動作モードを「発光禁止モード」となるように直接的に変更した場合を考える。この場合には、図４に示すように、表示部１８の所定の領域に閃光発光装置の動作モードを表わすマーク１８ｃが新たに表示される。なお、図４において示すマーク１８ｃは「発光禁止モード」を表わすマークである。
【００４４】
一方、上述のステップＳ３の処理において直接指示ではないと判断された場合、即ち間接指示であると判断された場合には、ステップＳ５において、ＣＰＵ２０は、第２の表示処理をおこなう。これにより、上述のステップＳ２の処理において変更した設定内容が反映された撮影待機画面が表示部１８に表示される。そして、この一連の処理を終了する（リターン）。
【００４５】
この第２の表示処理は、使用者による直接指示（第１の条件情報）ではなく、例えば使用者が所定の操作部材を用いて撮影モードの変更操作がおこなわれたり、シーンモード設定方式の撮影シーン選択操作をおこなわれることに伴って、設定部であるＣＰＵ２０により自動的に設定変更される撮影条件に関する条件情報（この条件情報を第２の条件情報という）の表示処理である。この場合には、図５や図６に示すような撮影待機画面が表示部１８に表示される。
【００４６】
また、例えば上述のステップＳ１の処理において、使用者が所定の撮影シーン選択操作をおこなって、例えば「寝顔シーン」の設定が選択された場合には、図５に示すように撮影モードを表わすマーク１８ａの表示が「寝顔モード」を表わすマークに変更される。この「寝顔モード」においては、閃光発光装置の動作モードが「発光禁止モード」となるように自動的に設定される。したがって、撮影モードを表わすマーク１８ａの表示が「寝顔モード」のマークに変更されるのと同時に、これに伴う設定変更、例えば閃光発光装置の動作モードを表わすマーク１８ｃａの表示（この場合は「発光禁止モード」を表わすマーク）が、図５に示すように表示される。このマーク１８ｃａは、「発光禁止モード」を表わすマークであるが、上述の直接指示によって表示されるマーク１８ｃ（図４参照）とは異なり、例えば緑色等を用いた色附き表示になっている（図５及び図７参照）。すなわち、図４のマーク１８ｃと図５のマーク１８ｃａとは、形態は全く同様であるが、その彩色は、前者（１８ｃ）が白抜き表示であり、後者（１８ｃａ）が緑色等の色附き表示として区別されるようになっている。なお、図５及び図７においては、当該マーク１８ｃａを黒で塗り潰すことで色附き表示である旨を示している。
【００４７】
このように、使用者によって閃光発光装置の動作モードが「発光禁止モード」に直接的に変更された場合には、図４に示すマーク１８ｃが表示される。その一方、使用者によって撮影シーン選択操作がなされた結果、閃光発光装置の動作モードが「発光禁止モード」に自動的に（つまり間接的に）設定変更された場合には、例えば緑色等を用いた色附きの図５に示すマーク１８ｃａが表示される。
【００４８】
なお、上述の例では、自動的に設定変更がなされた場合の表示の例として、図７に示すような緑色等の色附き表示がなされることで、直接的に設定変更した場合の表示と区別することができるようにしているが、その表示形態はこれに限ることはない。
【００４９】
例えば、これに変わる表示形態としては、図９に示すように通常のマーク１８ｃ附加記号１８ｃｃを附け加えたマーク１８Ａｃとしたり、図１１に示すように通常のマーク１８ｃに附加文字１８ｃｄを附け加えたマーク１８Ｂｃとする表示形態等、様々な表示形態が考えられる。
【００５０】
他方、例えば上述のステップＳ１の処理において、使用者が所定の撮影シーン選択操作をおこなって、例えば「パーティーモード」の設定が選択された場合には、図６に示すように撮影モードを表わすマーク１８ａの表示が「パーティーモード」を表わすマークに変更される。この「パーティーモード」においては、画像解像度１８ｂの表示が「１２８０＊９６０」（画素×画素）となるように自動的に設定される。したがって、撮影モードを表わすマーク１８ａの表示が「パーティーモード」のマークに変更されると、これに伴変更されるのと同時に、これに伴って、例えば画像解像度１８ｂの表示（「１２８０＊９６０」（画素×画素））に附加記号１８ｂｂを附け加えたマーク１８Ａｂの表示に変更される（図６及び図１０参照）。
【００５１】
このように、使用者によって画像解像度の設定が直接的に変更された場合には、図示は省略しているが、画像解像度１８ｂの表示が単に「１２８０＊９６０」（画素×画素）に変更される。その一方、使用者によって撮影シーン選択操作がなされた結果、画像解像度の設定が自動的に（つまり間接的に）変更された場合には、画像解像度１８ｂの表示（「１２８０＊９６０」（画素×画素））に附加記号１８ｂｂを附け加えたマーク１８Ａｂが表示される。
【００５２】
なお、上述の例では、自動的に設定変更がなされた場合の表示の例として、図１０に示すように通常の画像解像度１８ｂの表示に附加記号１８ｂｂを附け加えたマーク１８Ａｂを表示させることで、直接的に設定変更した場合の表示と区別することができるようにしているが、その表示形態はこれに限ることはない。
【００５３】
これに変わる表示形態としては、例えば図８に示すような緑色等の色附き表示としたり、図１２に示すように通常のマーク１８ｂに附加文字１８ｂｃを附け加えたマーク１８Ｂｂとする表示形態等、様々な表示形態が考えられる。
【００５４】
以上説明したように上記一実施形態によれば、使用者によって撮影条件が直接設定される場合の条件情報（第１の条件情報）の表示と、使用者によって撮影条件が直接設定されるのに連動して自動的に（間接的に）設定される場合の条件情報（第２の条件情報）の表示とのそれぞれが異なる表示形態となるように表示制御をおこなうようにしている。これにより、使用者は、表示部１８に表示されている条件情報の表示形態を視認することで、その条件情報が、どのような経過によって設定され表示されているかを容易に区別することができる。
【００５５】
換言すれば、使用者の意図に基づいて設定した撮影条件に関する条件情報と、使用者の意図に基づいて設定された撮影条件に連動してカメラ側（設定部（ＣＰＵ２０））により自動的に設定される撮影条件に関する条件情報とを、異なる表示形態で区別し得るように表示する制御がおこなわれるので、使用者が表示部１８を確認したときに、意図しない撮影条件が変更されているのを発見したとしても、これに対して使用者が戸惑うようなことはない。
【００５６】
第１の条件情報と第２の条件情報との区別は、表示部１８上における表示色を異ならせる表示制御を行なうことで両者の区別をおこなうようにしているので、使用者は表示部１８を視認するのみで極めて容易に相違を確認することができる。同一形状で色のみの相違としているため、ＲＯＭ２８に予め格納しておくデータ量を少なく抑えることができる。また、これを使用して表示制御をおこなうのに際しても、条件情報を表示するのに利用するメモリの占有量を抑えることができる。したがって、表示動作を阻害してしまうような心配はない。
【００５７】
また、上記実施形態はプログラムにしたがったＣＰＵ２０の制御処理によって実現されるが、つまりこれは上記プログラム自体が上述した実施形態の機能を実現することになり、このプログラム自体が本発明を構成する。
【００５８】
そして、これらのプログラムはロム（ＲＯＭ）２８以外の記録媒体の形式でもよく、カメラに着脱自在な記録媒体に格納されていてもよい。この場合における記録媒体としては、フロッピー（登録商標）デイスクや磁気テープ媒体等の磁気記録媒体，ＣＤやＤＶＤ等の光学記録媒体，ＭＤやＭＯ等の光磁気記録媒体，ＩＣカード等の半導体メモリー媒体等を適用できる。そして、このプログラムを記憶した記録媒体自体も本発明を構成する。
【００５９】
また、専用通信ネットワークやインターネット等に接続されたサーバーシステムに設けられるハードディスク媒体またはラム（ＲＡＭ）等の半導体メモリー等の格納装置を記録媒体として使用し、通信網を介してプログラムをカメラに提供するようにしてもよい。
【００６０】
あるいは、他のアプリケーションソフトウエア等と協働して、上述の実施形態の機能が実現される場合にも、かかるプログラムが本発明の実施の形態に含まれることは言うまでもない。
【００６１】
なお、本実施形態における表示制御装置は、プログラムをＣＰＵ上で実行することで、上述の機能を実現するものとしているが、これに限られることはない。例えば表示制御装置の一部または全部をハードウエアによって同様の機能を実現するようにしてもよい。
【００６２】
上記実施形態では、単体としてのカメラとして説明しているが、これに限らず、例えばカメラ機能付きの各種の電子機器（携帯電話等）におけるカメラ部に適用することもできる。
【００６３】
本発明は、上述の実施形態をそのままに限定されるものではなく、実施段階では、その要旨を逸脱しない範囲で構成要素を変形して具体化できる。
【００６４】
上記実施形態において開示されている複数の構成要素の適宜の組み合わせによって、種々の発明を形成することができる。例えば、各実施形態に示される全構成要素から幾つかの構成要素を取り除いた形態としてもよい。さらには、異なる実施形態にわたる構成要素を適宜組み合わせて構成することもできる。
【図面の簡単な説明】
【００６５】
【図１】本発明の一実施形態の表示制御装置を備えたカメラの概略的な内部構成を示す要部ブロック構成図。
【図２】図１の表示制御装置を備えたカメラの作用のうち撮影待機画面における表示制御方法であって、撮影条件に関する条件情報を表示部に表示する際の処理シーケンスを示すフローチャート。
【図３】図１のカメラの表示部の表示画面を示し、通常の起動時に表示される撮影待機画面を示す図。
【図４】図１のカメラの表示部の表示画面を示し、第１の条件情報としての発光禁止モードの表示例の図。
【図５】図１のカメラの表示部の表示画面を示し、第２の条件情報としての発光禁止モードの表示例の図。
【図６】図１のカメラの表示部の表示画面を示し、第２の条件情報としての画像解像度の表示例の図。
【図７】図１のカメラの表示部に表示される第２の条件情報についての形態例を示し、発光禁止モードの色附き表示の表示例の図。
【図８】図１のカメラの表示部に表示される第２の条件情報についての形態例を示し、画像解像度の色附き表示の表示例の図。
【図９】図１のカメラの表示部に表示される第２の条件情報についての形態例を示し、発光禁止モードの追加記号附き表示の表示例の図。
【図１０】図１のカメラの表示部に表示される第２の条件情報についての形態例を示し、画像解像度の追加記号附き表示の表示例の図。
【図１１】図１のカメラの表示部に表示される第２の条件情報についての形態例を示し、発光禁止モードの文字附き表示の表示例の図。
【図１２】図１のカメラの表示部に表示される第２の条件情報についての形態例を示し、画像解像度の文字附き表示の表示例の図。
【図１３】従来のカメラの表示制御装置の表示部を示し、当該カメラが通常の設定状態（例えば起動直後の設定状態）にあるときの表示形態を示す図。
【図１４】図１３の表示部に対して閃光発光装置の動作モードに関する条件情報（発光禁止マーク）が表示されている際の表示形態を示す図。
【図１５】図１３の表示部に対して選択されたシーン設定の条件情報（「寝顔シーン」マーク）と、これに連動して設定される閃光発光装置の動作モードに関する条件情報（発光禁止マーク）が表示されている際の表示形態を示す図。
【図１６】図１３の表示部に対して選択されたシーン設定の条件情報（「パーティーモード」マーク）と、これに連動して設定される画像解像度に関する条件情報が表示されている際の表示形態を示す図。
【符号の説明】
【００６６】
１……カメラ
１８，１１８……表示部
２０……制御部
２１……撮影光学系
２２……撮像素子
２３……撮像部
２４……画像処理部
２５……画像メモリ
２６……表示処理部
２７……操作部
【図１】
2006319917.tif 000003
【図２】
2006319917.tif 000004
【図３】
2006319917.tif 000005
【図４】
2006319917.tif 000006
【図５】
2006319917.tif 000007
【図６】
2006319917.tif 000008
【図７】
2006319917.tif 000009
【図８】
2006319917.tif 000010
【図９】
2006319917.tif 000011
【図１０】
2006319917.tif 000012
【図１１】
2006319917.tif 000013
【図１２】
2006319917.tif 000014
【図１３】
2006319917.tif 000015
【図１４】
2006319917.tif 000016
【図１５】
2006319917.tif 000017
【図１６】
2006319917.tif 000018